(57)【特許請求の範囲】
【請求項１】
読影レポートに記載された所望の疾病名に続く文字列を特定する特定手段、
前記特定手段によって特定された文字列から二重否定を含む肯定表現を検索する第１検索手段、
前記特定手段によって特定された文字列から否定表現を検索する処理を前記第１検索手段の処理に劣後して実行する第２検索手段、および
前記第１検索手段の結果が非検知を示しかつ前記第２検索手段の結果が検知を示す場合と前記第１検索手段の結果が検知を示すかまたは前記第２検索手段の結果が非検知を示す場合とで異なる出力処理を前記読影レポートに対して実行する出力処理手段を備える、読影レポート処理装置。
【請求項２】
前記特定手段によって特定される文字列は前記所望の疾病名から行末または句読点までの文字列に相当する、請求項１記載の読影レポート処理装置。
【請求項３】
前記所望の疾病名が記載された診断欄を各々が有する１または２以上の読影レポートのリストを表示するリスト表示手段をさらに備え、
前記特定手段は前記リスト表示手段の対象となった１または２以上の読影レポートの各々から前記文字列を特定する第１文字列特定手段を含む、請求項１または２記載の読影レポート処理装置。
【請求項４】
前記出力処理手段は前記第１検索手段の結果が非検知を示しかつ前記第２検索手段の結果が検知を示す１または２以上の読影レポートを前記リスト表示手段によって表示されたリスト上で視覚的に区別する区別手段を含む、請求項３記載の読影レポート処理装置。
【請求項５】
前記区別手段によって区別された１または２以上の読影レポートにそれぞれ貼り付けられた１または２以上の医用画像を医用画像表示操作に応答して表示する医用画像表示手段をさらに備える、請求項４記載の読影レポート処理装置。
【請求項６】
区別解除操作を受け付けたとき前記区別手段による視覚的な区別を解除する解除手段をさらに備える、請求項４または５記載の読影レポート処理装置。
【請求項７】
前記区別解除操作は個別解除操作および一括解除操作を含み、
前記解除手段は、前記個別解除操作を受け付けたとき前記視覚的な区別を読影レポート毎に解除する個別解除手段、および前記一括解除操作を受け付けたとき前記視覚的な区別を一括して解除する一括解除手段を含む、請求項６記載の読影レポート処理装置。
【請求項８】
区別追加操作を受け付けたとき前記リスト表示手段によって表示されたリスト上の視覚的な区別を読影レポート毎に追加する追加手段をさらに備える、請求項４ないし７のいずれかに記載の読影レポート処理装置。
【請求項９】
レポート削除操作を受け付けたとき前記区別手段によって区別された１または２以上の読影レポートを前記リスト表示手段によって表示されたリストから削除する削除手段をさらに備える、請求項４ないし８のいずれかに記載の読影レポート処理装置。
【請求項１０】
前記削除手段は前記１または２以上の読影レポートを一括して削除する、請求項９記載の読影レポート処理装置。
【請求項１１】
読影レポートの記載を確定させるレポート確定操作を読影レポート画面上で受け付ける受け付け手段をさらに備え、
前記特定手段は前記レポート確定操作の対象となった読影レポートから前記文字列を特定する第２文字列特定手段を含む、請求項１ないし１０のいずれかに記載の読影レポート処理装置。
【請求項１２】
前記レポート確定操作を受け付けたとき複数の疾病名の各々を前記所望の疾病名として指定する指定手段をさらに備え、
前記第２文字列特定手段は前記指定手段の指定処理に関連して文字列特定処理を実行する、請求項１１記載の読影レポート処理装置。
【請求項１３】
前記出力処理手段は前記第１検索手段の結果が検知を示すかまたは前記第２検索手段の結果が非検知を示すとき前記読影レポートを振分設定に合致するフォルダに振り分ける振分手段を含む、請求項１１または１２記載の読影レポート処理装置。
【請求項１４】
読影レポート処理装置によって実行される読影レポート処理方法であって、
読影レポートに記載された所望の疾病名に続く文字列を特定する特定ステップ、
前記特定ステップによって特定された文字列から二重否定を含む肯定表現を検索する第１検索ステップ、
前記特定ステップによって特定された文字列から否定表現を検索する処理を前記第１検索ステップの処理に劣後して実行する第２検索ステップ、および
前記第１検索ステップの結果が非検知を示しかつ前記第２検索ステップの結果が検知を示す場合と前記第１検索ステップの結果が検知を示すかまたは前記第２検索ステップの結果が非検知を示す場合とで異なる出力処理を前記読影レポートに対して実行する出力処理ステップを備える、読影レポート処理方法。
【請求項１５】
読影レポート処理装置のプロセッサに、
読影レポートに記載された所望の疾病名に続く文字列を特定する特定ステップ、
前記特定ステップによって特定された文字列から二重否定を含む肯定表現を検索する第１検索ステップ、
前記特定ステップによって特定された文字列から否定表現を検索する処理を前記第１検索ステップの処理に劣後して実行する第２検索ステップ、および
前記第１検索ステップの結果が非検知を示しかつ前記第２検索ステップの結果が検知を示す場合と前記第１検索ステップの結果が検知を示すかまたは前記第２検索ステップの結果が非検知を示す場合とで異なる出力処理を前記読影レポートに対して実行する出力処理ステップを実行させるための、読影レポート処理プログラム。
【発明の詳細な説明】
【技術分野】
【０００１】
この発明は、読影レポート処理装置、読影レポート処理方法および読影レポート処理プログラムに関し、特に、医師の所見が記載された読影レポートを処理する、読影レポート処理装置、読影レポート処理方法および読影レポート処理プログラムに関する。
【背景技術】
【０００２】
放射線科の医師（以下、「読影医」という。）は、読影レポートシステムと医用画像ビューアとを使用して読影業務を行っている。読影医はまた、通常の読影業務の他に、研究活動として疾病毎の分類を行ったり、ある期間内の疾病数の調査や興味症例の追跡を行い、論文執筆や学会発表等を行っている。
【０００３】
その過程で、読影レポートシステムの分類機能を利用して疾病毎のフォルダに分類を行うが、これは以外と面倒な作業であり、読影医は目的とする読影レポートの分類に苦労している。
【０００４】
また、読影レポートシステムの詳細検索機能を使用した症例検索、より詳しくは、診断名（疾病名）をキーワードとして指定した過去の症例検索を行う事が多々ある。ただし、期間を区切ったとしても、多数（数百から数千件）の読影レポートが抽出される場合があり、読影医は目的とする読影レポートの抽出に苦労をしている。
【０００５】
なお、特許文献１には、主治医にとって理解しやすい読影レポートを効率よく作成する医療診断支援装置の一例が開示されている。
【先行技術文献】
【特許文献】
【０００６】
【特許文献１】特開２０１３−１６７９７７号公報
【発明の概要】
【発明が解決しようとする課題】
【０００７】
抽出された読影レポートには「〜を認めない」や「〜は指摘できない」などの正常所見が多数含まれており、読影医は、抽出された読影レポートの内容を１件１件チェックし、正常所見の読影レポートを手作業で除外する必要がある。
【０００８】
また、抽出された読影レポートの一覧を表示する一覧表示画面には、文字で表された検査情報しか表示されない。したがって、読影医が選んだ読影レポートが目的とする読影レポートであるか否かを確認するには、当該読影レポートを開いてその内容を表示する必要がある。この結果、読影医には、目的とする読影レポートを探し出す際に相応の手間がかかっていた。
【０００９】
また、読影医が記述した読影レポートも同様で、読影医は記述後に分類するにあたり、正常所見かどうか確認を行い、異常あり所見の場合のみ分類する操作を行わなければならないため相応の手間がかかっている。
【００１０】
それゆえに、この発明の主たる目的は、所見の内容に応じて異なる出力処理を読影レポートに対して実行することができる、読影レポート処理装置、読影レポート処理方法および読影レポート処理プログラムを提供することである。
【課題を解決するための手段】
【００１１】
この発明に係る読影レポート処理装置(10：実施例で相当する参照符号。以下同じ)は、読影レポートに記載された所望の疾病名に続く文字列を特定する特定手段(S27, S29, S87, S89)、特定手段によって特定された文字列から二重否定を含む肯定表現を検索する第１検索手段(S31, S91)、特定手段によって特定された文字列から否定表現を検索する処理を第１検索手段の処理に劣後して実行する第２検索手段(S33, S93)、および第１検索手段の結果が非検知を示しかつ第２検索手段の結果が検知を示す場合と第１検索手段の結果が検知を示すかまたは第２検索手段の結果が非検知を示す場合とで異なる出力処理を読影レポートに対して実行する出力処理手段(S35, S95, S97)を備える。
【００１２】
好ましくは、特定手段によって特定される文字列は所望の疾病名から行末または句読点までの文字列に相当する。
【００１３】
好ましくは、所望の疾病名が記載された診断欄を各々が有する１または２以上の読影レポートのリストを表示するリスト表示手段(S9, S13, S15, S19)がさらに備えられ、特定手段はリスト表示手段の対象となった１または２以上の読影レポートの各々から文字列を特定する第１文字列特定手段(S27, S29)を含む。
【００１４】
さらに好ましくは、出力処理手段は第１検索手段の結果が非検知を示しかつ第２検索手段の結果が検知を示す１または２以上の読影レポートをリスト表示手段によって表示されたリスト上で視覚的に区別する区別手段(S35)を含む。
【００１５】
或る局面では、区別手段によって区別された１または２以上の読影レポートにそれぞれ貼り付けられた１または２以上の医用画像を医用画像表示操作に応答して表示する医用画像表示手段(S39~S41)がさらに備えられる。
【００１６】
他の局面では、区別解除操作を受け付けたとき区別手段による視覚的な区別を解除する解除手段(S55~S61)がさらに備えられる。この場合、好ましくは、区別解除操作は個別解除操作および一括解除操作を含み、解除手段は、個別解除操作を受け付けたとき視覚的な区別を読影レポート毎に解除する個別解除手段(S55~S57)、および一括解除操作を受け付けたとき視覚的な区別を一括して解除する一括解除手段(S59~S61)を含む。
【００１７】
その他の局面では、区別追加操作を受け付けたときリスト表示手段によって表示されたリスト上の視覚的な区別を読影レポート毎に追加する追加手段(S49~S51)がさらに備えられる。
【００１８】
さらにその他の局面では、レポート削除操作を受け付けたとき区別手段によって区別された１または２以上の読影レポートをリスト表示手段によって表示されたリストから削除する削除手段(S63~S65)がさらに備えられる。この場合、好ましくは、削除手段は１または２以上の読影レポートを一括して削除する。
【００１９】
好ましくは、読影レポートの記載を確定させるレポート確定操作を読影レポート画面上で受け付ける受け付け手段(S77)がさらに備えられ、特定手段はレポート確定操作の対象となった読影レポートから文字列を特定する第２文字列特定手段(S87, S89)を含む。
【００２０】
或る局面では、レポート確定操作を受け付けたとき複数の疾病名の各々を所望の疾病名として指定する指定手段(S85)がさらに備えられ、第２文字列特定手段は指定手段の指定処理に関連して文字列特定処理を実行する。
【００２１】
他の局面では、出力処理手段は第１検索手段の結果が検知を示すかまたは第２検索手段の結果が非検知を示すとき読影レポートを振分設定に合致するフォルダに振り分ける振分手段(S95, S97)を含む。
【００２２】
この発明に係る読影レポート処理方法は、読影レポート処理装置(10)によって実行される読影レポート処理方法であって、読影レポートに記載された所望の疾病名に続く文字列を特定する特定ステップ(S27, S29, S87, S89)、特定ステップによって特定された文字列から二重否定を含む肯定表現を検索する第１検索ステップ(S31, S91)、特定ステップによって特定された文字列から否定表現を検索する処理を第１検索ステップの処理に劣後して実行する第２検索ステップ(S33, S93)、および第１検索ステップの結果が非検知を示しかつ第２検索ステップの結果が検知を示す場合と第１検索ステップの結果が検知を示すかまたは第２検索ステップの結果が非検知を示す場合とで異なる出力処理を読影レポートに対して実行する出力処理ステップ(S35, S95, S97)を備える。
【００２３】
この発明に係る読影レポート処理プログラムは、読影レポート処理装置(10)のプロセッサ(14)に、読影レポートに記載された所望の疾病名に続く文字列を特定する特定ステップ(S27, S29, S87, S89)、特定ステップによって特定された文字列から二重否定を含む肯定表現を検索する第１検索ステップ(S31, S91)、特定ステップによって特定された文字列から否定表現を検索する処理を第１検索ステップの処理に劣後して実行する第２検索ステップ(S33, S93)、および第１検索ステップの結果が非検知を示しかつ第２検索ステップの結果が検知を示す場合と第１検索ステップの結果が検知を示すかまたは第２検索ステップの結果が非検知を示す場合とで異なる出力処理を読影レポートに対して実行する出力処理ステップ(S35, S95, S97)を実行させるための、読影レポート処理プログラムである。
【発明の効果】
【００２４】
異常が疑われる所見は、疾病名とこれに続く肯定表現（二重否定を含む）で読影レポートに記載される。これに対して、正常所見は、疾病名とこれに続く否定表現で読影レポートに記載される。そこで、この発明では、二重否定を含む肯定表現を所望の疾病名に続く文字列から検索し、かつこの処理に劣後して否定表現を同じ文字列から検索することで、正常所見が記載された読影レポートを検出するようにしている。
【００２５】
否定表現を肯定表現に劣後して検索することで、二重否定の形式を取る肯定表現が否定表現として誤検知される懸念が排除される。この結果、所見の内容（異常が疑われる所見または正常所見）に応じて異なる出力処理を読影レポートに対して実行することができる。
【００２６】
この発明の上述の目的，その他の目的，特徴および利点は、図面を参照して行う以下の実施例の詳細な説明から一層明らかとなろう。
【図面の簡単な説明】
【００２７】
【図１】この実施例に適用される読影レポートシステムの構成の一例を示すブロック図である。
【図２】この実施例の読影レポート処理装置に設けられたＣＰＵの動作の一部を示すフロー図である。
【図３】この実施例の読影レポート処理装置に設けられたＣＰＵの動作の他の一部を示すフロー図である。
【図４】この実施例の読影レポート処理装置に設けられたＣＰＵの動作のその他の一部を示すフロー図である。
【図５】この実施例の読影レポート処理装置に設けられたＣＰＵの動作のさらにその他の一部を示すフロー図である。
【図６】この実施例の読影レポート処理装置に設けられたディスプレイ装置に表示される画像の一例を示す図解図である。
【図７】この実施例の読影レポート処理装置に設けられたディスプレイ装置に表示される画像の他の一例を示す図解図である。
【図８】この実施例の読影レポート処理装置に設けられたディスプレイ装置に表示される画像のその他の一例を示す図解図である。
【図９】この実施例の読影レポート処理装置に設けられたディスプレイ装置に表示される画像のさらにその他の一例を示す図解図である。
【図１０】この実施例の読影レポート処理装置に設けられたディスプレイ装置に表示される画像の他の一例を示す図解図である。
【図１１】この実施例の読影レポート処理装置に設けられたディスプレイ装置に表示される画像のその他の一例を示す図解図である。
【図１２】この実施例の読影レポート処理装置に設けられたディスプレイ装置に表示される画像のさらにその他の一例を示す図解図である。
【図１３】この実施例の読影レポート処理装置に設けられたディスプレイ装置に表示される画像の他の一例を示す図解図である。
【図１４】この実施例の読影レポート処理装置に設けられたディスプレイ装置に表示される画像のその他の一例を示す図解図である。
【図１５】この実施例の読影レポート処理装置に設けられたＣＰＵの動作の一部を示すフロー図である。
【図１６】この実施例の読影レポート処理装置に設けられたＣＰＵの動作の他の一部を示すフロー図である。
【図１７】この実施例の読影レポート処理装置によって参照されるテーブルの一例を示す図解図である。
【図１８】この実施例の読影レポート処理装置に設けられたディスプレイ装置に表示される画像の一例を示す図解図である。
【図１９】この実施例の読影レポート処理装置に設けられたディスプレイ装置に表示される画像の他の一例を示す図解図である。
【図２０】この実施例の読影レポート処理装置に設けられたディスプレイ装置に表示される画像のその他の一例を示す図解図である。
【発明を実施するための形態】
【００２８】
図１を参照して、この実施例の読影レポートシステムは、通信ネットワーク４０を介して互いに接続された読影レポート処理装置（読影支援装置）１０およびサーバＰＣ３０によって構成される。読影レポート処理装置１０において、バスＢＳ１には、通信Ｉ／Ｆ１２，ＣＰＵ１４，キーボード１６，マウス１８，ディスプレイ装置２０，ＤＲＡＭ２２，および主記憶装置２４が接続される。また、サーバＰＣ３０には、多数の読影レポート（画像診断報告書）が保存された読影レポートＤＢ３２が設けられる。
【００２９】
各々の読影レポートには、検査日時，検査時刻，実施医師，患者氏名などの検査情報に加えて、読影医によって入力された所見，診断，コメントが記載され、さらに患部を表すサムネイル型の放射線画像ないし人体や患部を模したイラストであるシェーマなどの医用画像（以下、単に「サムネイル画像」と言う。）が貼り付けられる。
【００３０】
読影レポート処理装置１０に設けられたＣＰＵ１４は、サーバＰＣ３０に保存された多数の読影レポートの中から目的とする読影レポートを抽出しようとする読影医の作業を支援するべく、図２〜図５に示すフロー図に従う読影レポート処理を実行する。なお、このフロー図に対応する制御プログラムは、主記憶装置２４に保存される。
【００３１】
まずステップＳ１で、メイン画面を表す画像データをＤＲＡＭ２２に展開し、メイン画面の表示をディスプレイ装置２０に要求する。この結果、図６に示すメイン画面がディスプレイ装置２０に表示される。図６によれば、メイン表示欄ＭＰ１，所見欄ＲＰ１，診断欄ＤＰ１およびコメント欄ＣＰ１がメイン画面に設けられる。ただし、この時点ではメイン表示欄ＭＰ１，所見欄ＲＰ１，診断欄ＤＰ１およびコメント欄ＣＰ１のいずれも空欄とされる。
【００３２】
ステップＳ３では詳細検索操作（メイン画面上の「詳細検索」タブおよび「詳細検索」ボタンをマウス１８によってクリックする操作）が行われたか否かを判別し、ステップＳ５では他の操作が行われたか否かを判別する。ステップＳ３の判別結果がＹＥＳであればステップＳ７に進み、ステップＳ５の判別結果がＹＥＳであればその他の処理に進む。
【００３３】
ステップＳ７では、詳細検索条件入力画面を表す画像データをＤＲＡＭ２２に展開し、展開された詳細検索条件入力画面の代替表示をディスプレイ装置２０に要求する。この結果、図７に示す詳細検索条件入力画面がメイン画面に代えてディスプレイ装置２０に表示される。図７によれば、詳細検索条件入力画面右側に、所望の疾病名を入力するための検索窓ＳＷ１が設けられる。
【００３４】
ステップＳ９では疾病名入力操作（所望の疾病名たとえば“腫瘍”を検索窓ＳＷ１に入力する操作）が行われたか否かを判別し、ステップＳ１１では他の操作が行われたか否かを判別する。ステップＳ９の判別結果がＹＥＳであればステップＳ１３に進み、ステップＳ１１の判別結果がＹＥＳであればその他の処理に進む。
【００３５】
ステップＳ１３では、通信Ｉ／Ｆ１２を介してサーバＰＣ３０にアクセスし、所望の疾病名が記載された読影レポートを読影レポートＤＢ３２に保存された多数の読影レポートの中から検索する。ステップＳ１５では少なくとも１つの読影レポートが検出されたか否かを判別し、判別結果がＮＯであればステップＳ１７で検出不能を報知してからステップＳ９に戻る一方、判別結果がＹＥＳであればステップＳ１９に進む。
【００３６】
ステップＳ１９では、検出した読影レポートから検査情報を抽出して読影レポートリストをＤＲＡＭ２２に作成し、メイン画面への読影レポートリストの表示をディスプレイ装置２０に要求する。ディスプレイ装置２０は、表示対象を詳細検索条件入力画面からメイン画面に戻し、メイン画面に設けられたメイン表示欄ＭＰ１に読影レポートリストを表示する。読影レポートリストは、図８に示す要領でメイン画面に表示される。図８から分かるように、メイン表示欄ＭＰ１には、複数の患者の検査情報が縦方向に並んで列挙される。
【００３７】
ステップＳ２１では正常所見ハイライト操作（メイン画面上の「正常所見をハイライト」ボタンをマウス１８でクリックする操作）が行われたか否かを判別し、ステップＳ２３では他の操作が行われたか否かを判別する。ステップＳ２１の判別結果がＹＥＳであればステップＳ２５に進み、ステップＳ２３の判別結果がＹＥＳであれば他の処理に進む。
【００３８】
ステップＳ２５では、変数ｎの初期値を“０”に設定し、変数ｎの終値を“検出した読影レポート数−１”に設定し、増分値を“１”に設定する。ステップＳ２７では、ｎ番目の読影レポートに設けられた診断欄ＤＰ１から所望の疾病名を示す文字列を特定する。ステップＳ２９では、特定した文字列から行末（改行位置）または句読点出現位置までの文字列を、指定文字数を上限として取得する。
【００３９】
たとえば、所望の疾病名が“腫瘍”で、かつ「ＭＲＩ上明らかな下垂体腫瘍は指摘できませんでした。」との記載が診断欄ＤＰ１に存在する場合、“腫瘍”の文字列がステップＳ２７で特定され、「は指摘できませんでした。」の文字列がステップＳ２９で取得される。
【００４０】
ステップＳ３１ではステップＳ２９で取得した文字列に肯定語が含まれるか否かを判別し、判別結果がＹＥＳであればステップＳ３７に進む一方、判別結果がＮＯであればステップＳ３３に進む。ステップＳ３３ではステップＳ２９で取得した文字列に否定語が含まれるか否かを判別し、判別結果がＮＯであればステップＳ３７に進む一方、判別結果がＹＥＳであればステップＳ３５に進む。ステップＳ３５では、読影レポートリストを形成する１または２以上のカラムのうちｎ番目の読影レポートのカラムにハイライト処理（カラムの背景色を変更する処理）を施す。
【００４１】
ステップＳ３１の処理は取得した文字列から肯定語を検索する処理に相当し、ステップＳ３３の処理は取得した文字列から否定語を検索する処理に相当する。いずれの処理においても、一致検索の他にＮ−ｇｒａｍ法による曖昧検索が採用される。また、ステップＳ３３の検索処理は、ステップＳ３１の検索処理に劣後して実行される。
【００４２】
さらに、ステップＳ３１で検索される肯定語としては、「矛盾しない」、「認められる」、「指摘できる」などの単純肯定の表現の他に、「否定しない」、「否定できない」などの二重否定の表現が含まれる。一方、ステップＳ３３で検索される否定語としては、「認めない」、「指摘できない」、「見られない」などの文字による単純否定の表現の他に、「（−）」などの記号による単純否定の表現が含まれる。
【００４３】
したがって、ステップＳ２９で取得した文字列が上述のような肯定語を含まず、かつ上述のような否定語を含む場合は、ｎ番目の読影レポートは正常所見が記載された読影レポートであるとみなすことができ、ステップＳ３５のハイライト処理は正常所見が記載された読影レポートのカラムを対象として実行される。
【００４４】
なお、異常が疑われる所見の記載としては、たとえば「肺がんの所見と矛盾しません」、「肺がんを否定しません」などの記載が想定される。これに対して、正常所見の記載としては、「肺がんを認められません」、「明らかな腸重積症を疑う所見を指摘できません」、「膀胱内はｃｌｅａｒで出血疑う所見は見られない」などの記載が想定される。
【００４５】
ステップＳ３７では変数ｎをインクリメントし、その後にステップＳ２７に戻る。ステップＳ２７〜Ｓ３７の処理は読影レポートリストに列挙された全ての読影レポートに対して実行され、正常所見が記載された読影レポートのカラムは図９に示す要領でハイライトされる。
【００４６】
ステップＳ３９では、表示切り換え操作（メイン画面上の「表示切り換え」ボタンをマウス１８でクリックする操作）が行われたか否かを判別する。判別結果がＮＯであればそのままステップＳ４３に進み、判別結果がＹＥＳであればステップＳ４１で以下の処理を行ってからステップＳ４３に進む。ステップＳ４１では、メイン表示欄ＭＰ１の表示対象を、読影レポートリストと、小サイズのサムネイルマップ（各読影レポートに貼り付けられたサムネイル画像と検査時の患者の年齢・性別とが配列されたマップ）と、大サイズのサムネイルマップとの間で切り換える。
【００４７】
サムネイルマップを表示する場合は、ステップＳ１３の処理によって検出された読影レポート内のサムネイル画像と患者の年齢・性別とが表現された画像データをＤＲＡＭ２２に展開し、これによって作成されたサムネイルマップの表示をディスプレイ装置２０に要求する。この結果、サムネイルマップが読影レポートリストの代わりにメイン表示欄ＭＰ１に表示される。このとき、正常所見が記載された読影レポートのサムネイル画像は、ハイライトされる。したがって、メイン表示欄ＭＰ１の表示は、表示切り換え操作を受け付ける毎に、図９に示す読影レポートリストと、図１０に示す小サイズのサムネイルマップと、図示しない大サイズのサムネイルマップとの間で切り換えられる。
【００４８】
ステップＳ４３では、レポート選択操作（読影レポートリスト上の所望のカラムまたはサムネイルマップ上の所望のサムネイル画像をマウス１８でクリックする操作）が行われたか否かを判別する。判別結果がＮＯであればそのままステップＳ４９に進み、判別結果がＹＥＳであればステップＳ４５〜Ｓ４７で以下の処理を行ってからステップＳ４９に進む。
【００４９】
ステップＳ４５では、選択されたカラムの背景色を変更するか、或いは選択されたサムネイル画像に枠を多重する。カラムの背景色の変更は読影レポートリストが表示される場合に実行され、サムネイル画像への枠の多重はサムネイルマップが表示される場合に実行される。また、サムネイルマップが表示される場合は、選択されたサムネイル画像に対応する検査情報の一部がメイン表示欄ＭＰ１の下部に追加で表示される。
【００５０】
ステップＳ４７では、選択された読影レポートに記載された所見，診断およびコメントをメイン画面上の所見欄ＲＰ１，診断欄ＤＰ１およびコメント欄ＣＰ１に表示する。診断欄に記載された疾病名は、別の色で強調される。この結果、メイン画面の表示は、レポート選択操作に応答して、図９から図１１に更新され、或いは図１０から図１２に更新される。
【００５１】
ステップＳ４９では、ハイライト個別追加操作が行われたか否かを判別する。ハイライト個別追加操作は、読影レポートリスト上の所望のカラムまたはサムネイルマップ上の所望のサムネイル画像をマウス１８で右クリックし、かつこれによって図１３または図１４に示すようにポップアップ表示されたメニューから「正常所見としてハイライト」をクリックする操作に相当する。
【００５２】
判別結果がＮＯであればそのままステップＳ５３に進む一方、判別結果がＹＥＳであればステップＳ５１で以下の処理を実行してからステップＳ５３に進む。ステップＳ５１では、右クリックによって選択されたカラムまたはサムネイル画像に対してステップＳ３５と同様のハイライト処理を施す。
【００５３】
ステップＳ５３では、ハイライトされたカラムまたはサムネイル画像がメイン表示欄ＭＰ１に存在するか否かを判別する。また、ステップＳ６９では、終了操作（メイン画面の右上の「ｘ」ボタンをマウス１８でクリックする操作）が行われたか否かを判別する。ステップＳ５３の判別結果がＹＥＳであればステップＳ５５に進み、ステップＳ５３およびＳ６９の判別結果がいずれもＮＯであればステップＳ３９に戻り、ステップＳ５３の判別結果がＮＯでかつステップＳ６９の判別結果がＹＥＳであればステップＳ１に戻る。
【００５４】
ステップＳ５５では、ハイライト個別解除操作が行われたか否かを判別する。ハイライト個別解除操作は、読影レポートリスト上でハイライトされているカラムまたはサムネイルマップ上でハイライトされているサムネイル画像をマウス１８で右クリックし、かつこれによって図１３または図１４に示すようにポップアップ表示されたメニューから「ハイライト解除」をクリックする操作に相当する。
【００５５】
判別結果がＮＯであれば、そのままステップＳ５９に進む。これに対して、判別結果がＹＥＳであれば、右クリックによって選択されたカラムまたはサムネイル画像のハイライトをステップＳ５７で解除してからステップＳ５９に進む。
【００５６】
ステップＳ５９では、ハイライト一括削除操作（メイン画面上の「ハイライト解除」ボタンをマウス１８でクリックする操作）が行われたか否かを判別する。判別結果がＮＯであればそのままステップＳ６３に進む。これに対して、判別結果がＹＥＳであれば、読影レポートリストまたはサムネイルマップ上の全てのハイライトをステップＳ６１で一括解除し、その後にステップＳ６３に進む。
【００５７】
ステップＳ６３では、ハイライトレポート削除操作（メイン画面上の「ハイライトしたものをリストから削除」ボタンをマウス１８でクリックする操作）が行われたか否かを判別する。判別結果がＮＯであればそのままステップＳ６９に進み、判別結果がＹＥＳであればステップＳ６５およびＳ６７で以下の処理を行ってからステップＳ６９に進む。
【００５８】
ステップＳ６５では、ステップＳ１３の処理によって検出された読影レポートの中からハイライトされた読影レポートを一括削除する。ステップＳ６７では、一括削除の後に残った読影レポートに適合するように、読影レポートリストまたはサムネイルマップの表示態様を更新する。
【００５９】
以上の説明から分かるように、読影レポートには、疾病名を記載するための診断欄が設けられる。読影レポート処理装置１０に設けられたＣＰＵ１４は、所望の疾病名が診断欄に記載された１または２以上の読影レポートのリストつまり読影レポートリストをディスプレイ装置２０に表示し(S9, S13, S15, S19)、所望の疾病名に続く文字列を各読影レポートの診断欄から特定する(S27, S29)。ＣＰＵ１４は続いて、特定された文字列から二重否定を含む肯定表現を検索し(S31)、さらに特定された文字列から否定表現を検索する(S33)。ここで、否定表現の検索は、肯定表現の検索に劣後して実行される。
【００６０】
ＣＰＵ１４はその後、肯定表現の検索結果が非検知を示しかつ否定表現の検索結果が検知を示す場合と肯定表現の検索結果が検知を示すかまたは否定表現の検索結果が非検知を示す場合とで異なる出力処理を読影レポートに対して実行する(S35)。具体的には、肯定表現の検索結果が非検知を示しかつ否定表現の検索結果が検知を示す１または２以上の読影レポートを読影レポートリスト上で視覚的に区別する。
【００６１】
異常が疑われる所見は、疾病名とこれに続く肯定表現（二重否定を含む）で読影レポートに記載される。これに対して、正常所見は、疾病名とこれに続く否定表現で読影レポートに記載される。そこで、この実施例では、二重否定を含む肯定表現を所望の疾病名に続く文字列から検索し、かつこの処理に劣後して否定表現を同じ文字列から検索することで、正常所見が記載された読影レポートを検出するようにしている。
【００６２】
否定表現を肯定表現に劣後して検索することで、二重否定の形式を取る肯定表現が否定表現として誤検知される懸念が排除される。この結果、所望の疾病について正常所見が記載された読影レポートを読影レポートリスト上で視覚的に区別することができ、ひいては目的とする読影レポートを効率的に抽出することができる。
【００６３】
特に、この実施例では、読影医が記載する所見・診断の性質に着目して検索処理を行うため、形態素解析などの処理が重い構文解析処理が不要となり、各読影レポートの所見が正常所見であるか否かを簡単な方法で区別することができる。
【００６４】
また、読影レポートの所見・診断には定型文を使うことが多く、また、読影医固有の書き方（くせみたいなもの）があるため、それに合わせた肯定語・否定語辞書を整備することにより、簡単に精度を高めることができる。なお、肯定語・否定語辞書はマスターメンテナンスプログラムより簡単に追加・削除できる。
【００６５】
さらに、読影レポートリストの代わりにサムネイルマップをメイン表示欄ＭＰ１に表示することで、読影医は目的とする読影レポートをより簡単に探し出すことができる。
【００６６】
読影レポート処理装置１０に設けられたＣＰＵ１４はまた、所見・診断が記載された読影レポートを所望のフォルダに振り分ける作業の負担を軽減するべく、図１５〜図１６に示すフロー図に従う読影レポート処理を追加的に実行する。この処理では、図１７に示すように構成されたテーブルＴＢＬ１が参照される。
【００６７】
なお、図１５〜図１６に示すフロー図に対応する制御プログラムおよび図１７に示すテーブルＴＢＬ１は、主記憶装置２４に保存される。
【００６８】
図１５を参照して、ステップＳ７１では、読影レポート画面を表す画像データをＤＲＡＭ２２に展開し、読影レポート画面の表示をディスプレイ装置２０に要求する。この結果、図１８に示す読影レポート画面がディスプレイ装置２０に表示される。図１８によれば、所見欄ＲＰ２，診断欄ＤＰ２およびコメント欄ＣＰ２が読影レポート画面に設けられる。ただし、この時点では所見欄ＲＰ２，診断欄ＤＰ２およびコメント欄ＣＰ２のいずれも空欄とされる。
【００６９】
ステップＳ７３では所見／診断入力操作（キーボード１６によって所見欄ＲＰ２または診断欄ＤＰ２に文字列を入力する操作）が行われたか否かを判別し、ステップＳ７７ではレポート確定操作（読影レポート画面右上の「確定」ボタンをクリックする操作）が行われたか否かを判別し、ステップＳ７９では他の操作が行われたか否かを判別する。
【００７０】
ステップＳ７３の判別結果がＹＥＳであればステップＳ７５に進み、所見欄ＲＰ２または診断欄ＤＰ２に文字列を記述する。読影レポート画面は、たとえば図１８から図１９に更新される。文字列の記述が完了すると、ステップＳ７３に戻る。ステップＳ７７の判別結果がＹＥＳであればステップＳ８１に進み、ステップＳ７９の判別結果がＹＥＳであれば他の処理に進む。
【００７１】
ステップＳ８１では、所見欄ＲＰ２，診断欄ＤＰ２およびコメント欄ＣＰ２の記載を確定させるべく、レポート確定処理を実行する。ステップＳ８１の処理が完了すると、ステップＳ８３で読影レポート画面を非表示とする。
【００７２】
図１７に飛んで、テーブルＴＢＬ１には、複数個の振分設定が記述される。各振分設定は、“モダリティ”，“検査種別”，“疾病名”，“振分先フォルダ１”，“振分先フォルダ２”，…“振分先フォルダｍ”の項目を含む。このうち、“モダリティ”，“検査種別”および“疾病名”の記載が振分条件を定義し、“振分先フォルダ１”〜“振分先フォルダｍ”の記載が振分先フォルダを定義する。
【００７３】
たとえば、０番目の振分設定に注目すると、モダリティとして“ＭＲ”が記載され、疾病名として“子宮筋腫”が記載され、振分先フォルダ１として“婦人科症例”フォルダが記載される。したがって、０番目の振分設定で要求される振分条件は、確定した読影レポートの参照元がＭＲで作成された画像であることと、所見欄ＲＰ２に“子宮筋腫”が記載されていることである。また、０番目の振分設定に従う振分先フォルダは、“婦人科症例”フォルダである。
【００７４】
図１５に戻って、ステップＳ８５では、変数ｎの初期値を“０”に設定し、変数ｎの終値を“振分設定数−１”に設定し、増分値を“１”に設定する。ステップＳ８７では、ステップＳ８１の処理によって確定した読影レポートの所見欄ＲＰ２から、ｎ番目の振分設定に記載された疾病名を示す文字列を特定する。ステップＳ８９では、特定した文字列から行末（改行位置）または句読点出現位置までの文字列を、指定文字数を上限として取得する。
【００７５】
たとえば、図１９に示す読影レポートが確定した読影レポートであり、変数ｎが“０”を示す場合は、“子宮筋腫”の文字列がステップＳ８７で特定され、「と考えます。」の文字列がステップＳ８９で取得される。
【００７６】
ステップＳ９１ではステップＳ８９で取得した文字列に肯定語が含まれるか否かを判別し、判別結果がＹＥＳであればステップＳ９５に進む一方、判別結果がＮＯであればステップＳ９３に進む。ステップＳ９３ではステップＳ８９で取得した文字列に否定語が含まれるか否かを判別し、判別結果がＮＯであればステップＳ９５に進む一方、判別結果がＹＥＳであればステップＳ９９に進む。
【００７７】
上述と同様、ステップＳ９１の処理は取得した文字列から肯定語を検索する処理に相当し、ステップＳ９３の処理は取得した文字列から否定語を検索する処理に相当する。いずれの処理においても、一致検索の他にＮ−ｇｒａｍ法による曖昧検索が採用される。また、ステップＳ９３の検索処理は、ステップＳ９１の検索処理に劣後して実行される。
【００７８】
さらに、ステップＳ９１で検索される肯定語としては、「矛盾しない」、「認められる」、「指摘できる」などの単純肯定の表現の他に、「否定しない」、「否定できない」などの二重否定の表現が含まれる。一方、ステップＳ９３で検索される否定語としては、「認めない」、「指摘できない」、「見られない」などの文字による単純否定の表現の他に、「（−）」などの記号による単純否定の表現が含まれる。
【００７９】
したがって、ステップＳ８９で取得した文字列が、上述のような肯定語を含まず、かつ上述のような否定語を含む場合は、確定した読影レポートは正常所見が記載された読影レポートであるとみなすことができる。これに対して、ステップＳ８９で取得した文字列が、上述のような肯定語を含むか、或いは上述のような否定語を含まない場合は、確定した読影レポートは異常が疑われる所見が記載された読影レポートであるとみなすことができる。
【００８０】
ステップＳ９５では確定した読影レポートがｎ番目の振分設定で要求される振分条件に合致するか否かを判別し、判別結果がＮＯであればそのままステップＳ９９に進む一方、判別結果がＹＥＳであればステップＳ９７で以下の処理を実行してからステップＳ９９に進む。ステップＳ９７では、確定した読影レポートをｎ番目の振分設定に従う振分先フォルダに振り分ける。
【００８１】
図１９によれば、確定した読影レポートはＭＲ画像を参照して作成された読影レポートであり、かつ所見欄ＲＰ２に“子宮筋腫”が記載されている。したがって、この読影レポートについては、ステップＳ９５でＹＥＳと判別され、“婦人科症例”フォルダへの振分が実行される。
【００８２】
したがって、別の場面でメイン画面をディスプレイ装置２０に表示させ、メイン画面上の「バインダー」タブをクリックした上で“婦人科症例」フォルダを選択すると、図１９に示す読影レポートの所見，診断およびコメントが図２０に示す要領でメイン画面の所見欄ＲＰ１，診断欄ＤＰ１およびコメント欄ＣＰ１に表示される。
【００８３】
図１６に戻って、ステップＳ９９では変数ｎをインクリメントし、その後にステップＳ８７に戻る。ステップＳ８７〜Ｓ９９の処理は、テーブルＴＢＬ１に記載された全ての振分設定に対して実行される。
【００８４】
以上の説明から分かるように、読影レポートには、疾病名を記載するための所見欄ＲＰ２が設けられる。読影レポート処理装置１０に設けられたＣＰＵ１４は、読影レポートの記載を確定させるレポート確定操作を受け付け(S77)、確定した読影レポート上の所望の疾病名に続く文字列を特定する(S87, S89)。ＣＰＵ１４は続いて、特定された文字列から二重否定を含む肯定表現を検索し(S91)、さらに特定された文字列から否定表現を検索する(S93)。ここで、否定表現の検索は、肯定表現の検索に劣後して実行される。
【００８５】
ＣＰＵ１４はその後、肯定表現の検索結果が非検知を示しかつ否定表現の検索結果が検知を示す場合と肯定表現の検索結果が検知を示すかまたは否定表現の検索結果が非検知を示す場合とで異なる出力処理を読影レポートに対して実行する(S95, S97)。具体的には、肯定表現の検索結果が検知を示すかまたは否定表現の検索結果が非検知を示す読影レポートを振分設定に合致するフォルダに振り分ける。
【００８６】
否定表現を肯定表現に劣後して検索することで、二重否定の形式を取る肯定表現が否定表現として誤検知される懸念が排除される。この結果、所見・診断が記載された読影レポートを所望のフォルダに振り分ける作業の負担を軽減することができる。
【符号の説明】
【００８７】
１０  …読影レポート処理装置
１４  …ＣＰＵ
２０  …ディスプレイ装置
２４  …主記憶装置
３０  …サーバＰＣ
４０  …通信ネットワーク
【図１】
0006678010.tif 000002
【図２】
0006678010.tif 000003
【図３】
0006678010.tif 000004
【図４】
0006678010.tif 000005
【図５】
0006678010.tif 000006
【図６】
0006678010.tif 000007
【図７】
0006678010.tif 000008
【図８】
0006678010.tif 000009
【図９】
0006678010.tif 000010
【図１０】
0006678010.tif 000011
【図１１】
0006678010.tif 000012
【図１２】
0006678010.tif 000013
【図１３】
0006678010.tif 000014
【図１４】
0006678010.tif 000015
【図１５】
0006678010.tif 000016
【図１６】
0006678010.tif 000017
【図１７】
0006678010.tif 000018
【図１８】
0006678010.tif 000019
【図１９】
0006678010.tif 000020
【図２０】
0006678010.tif 000021